(57)【要約】      （修正有）【課題】傘が長傘である場合でも、濡れた傘布の接触により、使用者の衣服を濡らすことなく、携行した傘をハンズフリーで携行することができる傘収容鞄を提供する。【解決手段】傘収容鞄１は、窄めた状態の傘５０を、上方の開口から収容可能な有底袋状で、窄めた傘５０の形状に対応する細長状に形成された傘収納部１０と、この傘収納部１０に接続する帯状の肩掛け部２０と、を有し、肩掛け部２０は、当該肩掛け部２０の一端側を傘収納部１０に接続した状態で、傘収納部１０を使用者の肩から吊り下げる位置に合わせて、当該肩掛け部２０の他端側を傘収納部１０と係脱可能に係着することにより、傘収納部１０に取付けられること、を特徴とする。【選択図】図１
0003205172.tif 000002
【実用新案登録請求の範囲】
【請求項１】
窄めた状態の傘を、上方の開口から収容可能な有底袋状で、窄めた傘の形状に対応する細長状に形成された傘収納部と、
前記傘収納部に接続する帯状の肩掛け部と、を有し、
前記肩掛け部は、当該肩掛け部の一端側を前記傘収納部に接続した状態で、前記傘収納部を使用者の肩から吊り下げる位置に合わせて、当該肩掛け部の他端側を前記傘収納部と係脱可能に係着することにより、前記傘収納部に取付けられること、
を特徴とする傘収容鞄。
【請求項２】
請求項１に記載する傘収容鞄において、
前記傘収納部は、帆布からなること、
を特徴とする傘収容鞄。
【考案の詳細な説明】
【技術分野】
【０００１】
この考案は、傘を差さずに携行する場合に、この傘を収容する鞄に関する。
【背景技術】
【０００２】
傘は、大別して、折傘と長傘とに分類される。折傘は、傘布と共に、親骨を折り畳むことができ、傘を差さずに携行する場合には、使用者は、折傘を直接手で持たなくても、通勤・通学鞄や、手提げ鞄、リュック等、日常使用している鞄の中に、小さくした折傘をそのまま入れて持ち歩くことができる。他方、長傘は、傘布と共に、親骨を折り畳むことができないため、携行時には、使用者は、長傘をそのまま、手で持ちながら移動しなければならず、持ち運び時には、長傘は、折傘に比べて不便を来す。
【０００３】
この長傘の不便さを解消する手段の一つとして、洋傘用肩掛けベルトが、特許文献１に開示されている。特許文献１は、洋傘を、使用者の肩に掛けて吊り下げるためのベルトであり、洋傘の柄を通す環状部と、この環状部と一体で接続するベルトを有し、このベルトの長さを、使用者の背の高さに応じて好みの長さに調整することができるとされている。
【先行技術文献】
【特許文献】
【０００４】
【特許文献１】特開２００３−２３０４１５号公報
【考案の概要】
【考案が解決しようとする課題】
【０００５】
しかしながら、特許文献１は、洋傘の柄を環状部に保持した状態で、ベルトを肩に掛けて洋傘を吊るため、雨上がりの直後に傘を携行する場合には、濡れた傘布が、使用者の衣服に直接触れてしまい、特許文献１の洋傘用肩掛けベルトでは、使い勝手が良くない。特に、スーツや、おしゃれな衣服を纏った女性等の間では、濡れた傘布の接触により、衣服が濡れてしまうと、外観上の体裁が非常に悪くなり、特許文献１のようなベルトで傘を直接肩に掛けることには、違和感があった。
【０００６】
本考案は、上記問題点を解決するためになされたものであり、傘が長傘の雨傘である場合でも、濡れた傘布の接触により、使用者の衣服を濡らすことなく、携行した傘をハンズフリーで携行することができる傘の鞄を提供することを目的とする。
【課題を解決するための手段】
【０００７】
上記課題を解決するためになされた本考案の一態様である傘収容鞄は、窄めた状態の傘を、上方の開口から収容可能な有底袋状で、窄めた傘の形状に対応する細長状に形成された傘収納部と、前記傘収納部に接続する帯状の肩掛け部と、を有し、前記肩掛け部は、当該肩掛け部の一端側を前記傘収納部に接続した状態で、前記傘収納部を使用者の肩から吊り下げる位置に合わせて、当該肩掛け部の他端側を前記傘収納部と係脱可能に係着することにより、前記傘収納部に取付けられること、を特徴とする。
【０００８】
この態様によれば、使用者が、雨上がりの後に傘を傘収容鞄に入れて持ち歩く場合に、傘の傘布がたとえ雨で濡れていても、傘布が傘収納部内に収容されるため、使用者は、直に傘布に接触せず、傘布に付着した雨で濡れることはない。また、使用者は、肩から掛けた傘収容鞄に傘を入れることで、ハンズフリーになることができる。さらに、使用者が、スーツやおしゃれな衣服等を着て、傘の入った傘収容鞄を肩に掛けて街中を歩いていても、傘布に付着した雨による水滴が、傘収納部に滲みることはあっても、衣服を直に濡らすことはなく、外観上、使用者の体裁が極度に悪化するのを防止することができる。
【０００９】
上記の態様においては、前記傘収納部は、帆布からなること、が好ましい。
【００１０】
この態様によれば、傘収容鞄は、傘収納部を、天然素材である帆布を用いて形成されているため、風合いのほか、使い続ける程に味わいを得ることができる高い質感と、かつ付加価値とを備えた鞄になり得る。加えて、傘収容鞄は、雨や雪等による耐水性のほかにも、耐強度が大きく、耐久性もある上、静電気の発生がなく、傘収納部においても、外部との通気性が良好であることから、非常に機能性の優れた鞄になる。
【考案の効果】
【００１１】
本考案に係る傘収容鞄によれば、傘が長傘の雨傘である場合でも、濡れた傘布の接触により使用者の衣服を濡らすことなく、携行した傘をハンズフリーで携行することができる。
【図面の簡単な説明】
【００１２】
【図１】実施形態に係る傘収容鞄を示す正面図である。
【図２】実施形態に係る傘収容鞄の傘収納部を示す平面図である。
【図３】実施形態に係る傘収容鞄の図柄入り傘収納部を示す平面図である。
【図４】実施形態に係る傘収容鞄の肩掛け部を示す平面図である。
【図５】図４に示す肩掛け部のブランドロゴの拡大図である。
【図６】実施形態に係る傘収容鞄を使用している様子を示す説明図である。
【図７】図３に示す図柄入りの傘収容鞄を使用している様子を示す説明図である。
【図８】実施形態に係る傘収容鞄を折り畳んで仕舞うまでの手順を示す説明図である。
【考案を実施するための形態】
【００１３】
（実施形態）
本考案の傘収容鞄について説明する。本実施形態に係る傘収容鞄は、洋傘の中でも、主に長傘の雨傘を対象とした鞄であり、例えば、雨に備えて雨傘を持ち歩く場合や、雨上がりの後に雨傘を持ち歩く場合等、傘を差さずに携行するとき、この傘を収容するのに用いる。なお、本実施形態では、傘が長傘の雨傘である場合について説明するが、本考案の傘収容鞄に収容する傘の対象は、長傘の雨傘に限定するものではなく、日傘等、何でも良い。
【００１４】
はじめに、傘収容鞄１の構成について、説明する。図１は、実施形態に係る傘収容鞄を示す正面図である。図２は、実施形態に係る傘収容鞄の傘収納部を示す平面図である。図１に示すように、傘収容鞄１は、窄めた状態の傘５０（図６参照）を、上方の開口１１から収容可能な有底袋状で、窄めた傘の形状に対応する細長状に形成された傘収納部１０と、この傘収納部１０に接続する帯状の肩掛け部２０と、を有する。
【００１５】
傘収納部１０と肩掛け部２０は、何れもベージュ色で無地の帆布からなる。具体的には、帆布は、本実施形態では、撚り合わせた綿糸を平織りで織った厚さ１１号の布である。傘収納部１０は、図２に示すように、その平面視で、例えば、全長約９２ｃｍ、全幅約１５ｃｍ等の細長な長方形状であり、開口１１を除く三辺縁をミシン掛けで閉じた袋状になっている。傘収納部１０の底１２側は、厚さ１１号より少し厚めの帆布素材からなる補強部材１３を、当該傘収納部１０の外側に当てて当該傘収納部１０と共に縫い込まれている。この補強部材１３は、傘収納部１０内に収容された傘５０の石突５３により、傘収納部１０の底１２の破損を防ぐのに設けられている。なお、補強部材１３に対し、それの有無、傘収納部１０への取付け形態は、特に限定されるものではない。
【００１６】
傘収納部１０には、本実施形態では、４つのボタン１４が、開口１１の短辺を斜めに横切るはす向かいの位置に付いている。具体的には、ボタン１４は、傘収納部１０の片側側面（図２中、紙面表側側面）で、一端側（図２中、上側）の長辺寄りに２つと、開口１１を挟む反対側側面（図２中、紙面裏側側面）で、他端側（図２中、下側）の長辺寄りに２つ、計４つである。
【００１７】
図４は、実施形態に係る傘収容鞄の肩掛け部を示す平面図であり、図４に示す肩掛け部のブランドロゴの拡大図を、図５に示す。肩掛け部２０は、図４に示すように、その平面視で、例えば、全長約１２６ｃｍ、全幅約３ｃｍ等の細長な長方形状であり、四辺縁をミシン掛けで仕上げた帯状に形成されている。
【００１８】
肩掛け部２０は、当該肩掛け部２０の一端側２１を傘収納部１０に接続した状態で、傘収納部１０を使用者７０の肩から吊り下げる位置に合わせて、当該肩掛け部２０の他端側２２を傘収納部１０と係脱可能に係着することにより、傘収納部１０に取付けられる。具体的には、肩掛け部２０には、本実施形態では、３つのボタンホール２３がそれぞれ、一端側２１と他端側２２に設けられている。
【００１９】
傘収納部１０の片側側面に付いている２つのボタン１４は、一端側２１にある３つのボタンホール２３のうち、隣り合った２つのボタンホール２３に掛け留めることができ、傘収納部１０の反対側側面に付いている２つのボタン１４は、他端側２２にある３つのボタンホール２３のうち、隣り合った２つのボタンホール２３に掛け留めることができる。傘収納部１０と肩掛け部２０とは、ボタン１４とボタンホール２３との係着により接続されるが、傘収納部１０を使用者７０の肩から吊り下げる位置に合わせて、ボタン１４を掛け留めるボタンホール２３の位置を選択することにより、肩掛け部２０の長さが調整できる。
【００２０】
また、肩掛け部２０の一面側には、第１ブランドロゴ２５が、当該肩掛け部２０の一端側２１のボタンホール２３に近接する位置に設けられ、他端側２２には、第２ブランドロゴ２６が、当該肩掛け部２０の他端側２２のボタンホール２３に近接する位置に設けられている。第１ブランドロゴ２５は、発売元となる本出願人のブランドロゴである。第２ブランドロゴ２６は、傘収容鞄１の生地となる帆布を製造する者（株式会社バイストン）のブランドロゴ（登録商標「倉敷帆布」）である。
【００２１】
次に、傘収容鞄１の使い方について説明する。図６は、実施形態に係る傘収容鞄を使用している様子を示す説明図である。前述したように、使用者７０が、例えば、雨に備えて雨傘を持ち歩く場合や、雨上がりの後に雨傘を持ち歩く場合等に、傘５０を差さずに携行するときには、使用者７０は、図６に示すように、肩掛け部２０を肩からそのまま下向きに掛けて保持、または、肩掛け部２０をたすき掛けで肩に掛けて保持した傘収容鞄１の開口１１に、窄めた状態の傘５０を石突５３側から入れ、ハンドル５１まで傘収納部１０内に収容する。これにより、雨上がりの後に傘５０を傘収容鞄１に入れて持ち歩く場合には、傘５０の傘布５２がたとえ雨で濡れていても、傘布５２が傘収納部１０内に収容されているため、使用者７０は、直に傘布５２に接触せず、傘布５２に付着した雨で濡れることはない。また、使用者７０は、肩から掛けた傘収容鞄１に傘５０を入れることで、ハンズフリーになることができる。
【００２２】
次に、傘収容鞄１を使用しないときの傘収容鞄１の仕舞い方について、説明する。図８は、実施形態に係る傘収容鞄を折り畳んで仕舞うまでの手順を示す説明図である。はじめに、図８に示すように、肩掛け部２０の片側にあるボタンホール２３を、傘収納部１０の２つのボタン１４に掛け留め、傘収納部１０全体を一面上に拡げた状態にしておく。そして、その状態のまま、傘収納部１０をその長手方向中央の第１折目３１で折り返し、傘収納部１０を半分に折り畳む（二重状態の傘収納部１０）。次に、二重状態の傘収納部１０を、その長手方向中央の第２折目３２で折り返し、傘収納部１０をさらに半分に折り畳む（四重状態の傘収納部１０）。次に、四重状態の傘収納部１０を、その長手方向中央の第３折目３３で折り返し、傘収納部１０をもう一度半分に折り畳む（八重状態の傘収納部１０）。
【００２３】
次に、重なり合わないよう、肩掛け部２０の幅で１ピッチ分ずらしながら、肩掛け部２０を八重状態の傘収納部１０の周りに捲回し、肩掛け部２０の反対側端部にあるボタンホール２３を、残りの傘収納部１０の２つのボタン１４に掛け留める。八重状態の傘収納部１０を捲回した肩掛け部２０には、第１ブランドロゴ２５が、視認し易い位置に配置される。かくして、傘収容鞄１は、保管し易い態様にコンパクトにまとめられる。
【００２４】
ところで、傘収容鞄１は、撚り合わせたベージュ色の綿糸を平織りで織った無地の帆布により、傘収納部１０と肩掛け部２０とを構成したものであるが、無地の傘収納部１０以外にも、図柄付きの傘収納部を構成した傘収容鞄がある。その傘収容鞄について、次述する。
【００２５】
図３は、実施形態に係る傘収容鞄の図柄入り傘収納部を示す平面図である。図７は、図３に示す図柄入りの傘収容鞄を使用している様子を示す説明図である。図３及び図７に示すように、傘収容鞄１Ａには、刀を描写した図柄２７が、傘収納部１０Ａに入っている。この図柄２７は、本実施形態では、周知のインクジェットプリンタにより、傘収納部１０Ａの一側面に描写されている。使用者７０が、この傘収容鞄１Ａを肩に掛けて使用していると、まるで武士が刀を身にまとうかのように、使用者７０の雰囲気が、刀を差して歩いている様子で醸し出され、この傘収容鞄１Ａは、遊び心として、周囲に楽しさを提供できる鞄になり得る。
【００２６】
次に、本実施形態の傘収容鞄１，１Ａの作用・効果について、説明する。本実施形態の傘収容鞄１，１Ａは、窄めた状態の傘５０を、上方の開口１１から収容可能な有底袋状で、窄めた傘５０の形状に対応した細長状に形成された傘収納部１０，１０Ａと、傘収納部１０，１０Ａに接続する帯状の肩掛け部２０と、を有し、肩掛け部２０は、当該肩掛け部２０の一端側２１を傘収納部１０，１０Ａに接続した状態で、傘収納部１０，１０Ａを使用者７０の肩から吊り下げる位置に合わせて、当該肩掛け部２０の他端側２２を傘収納部１０，１０Ａと係脱可能に係着して取付けられていること、を特徴とする。
【００２７】
この特徴により、使用者７０が、雨上がりの後に傘５０を傘収容鞄１，１Ａに入れて持ち歩く場合に、傘５０の傘布５２がたとえ雨で濡れていても、傘布５２が傘収納部１０，１０Ａ内に収容されているため、使用者７０は、直に傘布５２に接触せず、傘布５２に付着した雨で濡れることはない。また、使用者７０は、肩から掛けた傘収容鞄１，１Ａに傘５０を入れることで、ハンズフリーになることができる。さらに、使用者７０が、スーツやおしゃれな衣服等を着て、傘５０の入った傘収容鞄１，１Ａを肩に掛けて街中を歩いていても、傘布５２に付着した雨による水滴が、傘収納部１０，１０Ａに滲みることはあっても、衣服を直に濡らすことはなく、外観上、使用者７０の体裁が極度に悪化するのを防止することができる。
【００２８】
従って、本実施形態に係る傘収容鞄によれば、傘５０が長傘の雨傘である場合でも、濡れた傘布５２の接触により、使用者７０の衣服を濡らすことなく、携行した傘５０をハンズフリーで携行することができる、という優れた効果を奏する。
【００２９】
また、傘収容鞄では、傘収納部１０，１０Ａは、帆布からなること、を特徴とするので、帆布製の傘収納部１０，１０Ａは、撚り合わせた綿糸を平織りで織った厚地で形成されているため、傘布５２に付着した雨が傘収容鞄１，１Ａの外側に滲み込んでいくのを抑制することができる。また、傘収容鞄１，１Ａは、傘収納部１０，１０Ａ、肩掛け部２０とも、天然素材である帆布を用いて形成されているため、風合いのほか、使い続ける程に味わいを得ることができる高い質感と、かつ付加価値とを備えた鞄になり得る。加えて、傘収容鞄１，１Ａは、雨や雪等による耐水性のほかにも、耐強度が大きく、耐久性もある上、静電気の発生がなく、傘収納部１０，１０Ａにおいても、外部との通気性が良好であることから、非常に機能性の優れた鞄になっている。
【００３０】
なお、上記した実施の形態は単なる例示に過ぎず、本考案を何ら限定するものではなく、その要旨を逸脱しない範囲内で種々の改良、変形が可能であることは勿論である。
（１）例えば、本実施形態では、傘収容鞄１，１Ａの素材を、綿糸を平織り織った厚さ１１号の帆布としたが、帆布の素材は、例えば、麻、亜麻等の糸を平織りで織ったものでも良く、帆布の厚さも、１号から１１号まで何れの大きさでも良い。
（２）また、実施形態では、傘収納部１０，１０Ａと肩掛け部２０とを同じ素材で形成したが、傘収納部と肩掛け部との素材は異なっていても良い。また、傘収納部と肩掛け部との素材は、帆布以外にも、例えば、樹脂系の素材等、傘布に付着した雨が傘収納部の外側に浸透にし難い性状の材質であれば、何でも良い。
（３）また、実施形態では、傘収容鞄１，１Ａの表面に撥水処理は施されていないが、本考案の傘収容鞄の表面に、撥水処理が施されていても良い。
【００３１】
（４）また、実施形態では、傘収容鞄１Ａの傘収納部１０Ａに入った刀の図柄２７は、インクジェットプリンタにより描写したものであるが、傘収納部や肩掛け部に描写する図柄は、刀の図柄２７に限定されるものではなく、何でも良い。さらに、その図柄は、インクジェットプリンタによる描写以外にも、帆布の染色により描写されていても良い。また、傘収容鞄の素材は、使用する糸の色にバリエーションを持って織られた帆布により、構成されていても良い。
（５）また、実施形態では、補強部材１３の素材を、傘収納部１０や肩掛け部２０の素材よりやや厚い帆布とした。補強部材は、傘５０の石突５３により破損しないよう、より耐久性の材質であることが好ましく、例えば、ポリ塩化ビニル（PVC: polyvinyl chloride）等のような樹脂系材料でも良い。
【符号の説明】
【００３２】
１，１Ａ  傘収容鞄
１０，１０Ａ  傘収納部
１１  開口
２０  肩掛け部
２１  肩掛け部の一端側
２２  肩掛け部の他端側
５０  傘
【図１】
0003205172.tif 000003
【図２】
0003205172.tif 000004
【図４】
0003205172.tif 000005
【図６】
0003205172.tif 000006
【図８】
0003205172.tif 000007
【図３】
0003205172.tif 000008
【図５】
0003205172.tif 000009
【図７】
0003205172.tif 000010